(57)【特許請求の範囲】
【請求項１】
一対の両側の切削端部部分の間を長手方向に延びている中央部の本体部分を備え、該切削端部部分の各々が、上方すくい面、前逃げ面、及び前記上方すくい面と前記前逃げ面との交差線に形成された前切れ刃を有し、該前逃げ面が、側部逃げ面の間を延びており、該前切れ刃の各々が平面図において直線である、両頭形の突切り用又は溝削り用のインサートにおいて、
該前逃げ面が、上方の逃げ面要素と、該側部逃げ面の間を延びており、該上方の逃げ面要素に対して内側に設置され、該側部逃げ面の間に配置され且つ該前切れ刃と交差している長手方向正中面に関して直角に配置された下方の当り面要素と、該上方の逃げ面要素及び該下方の当り面要素をつないでいる中間の面要素とを備えており、
該前切れ刃及び該上方の逃げ面要素が、所定の角度だけ上記長手方向正中面の垂線に対して傾斜している
ことを特徴とするインサート。
【発明の詳細な説明】
【０００１】
【産業上の利用分野】
本発明は突切り用又は溝削り用のインサートに関する。
【０００２】
【従来技術及びその課題】
本発明の関連する種類の突切り用又は溝削り用ののインサートには、インサートの長手方向正中面への垂線に対してインサートのアプローチ角と呼ばれる角度だけ傾けられた前切れ刃が形成される。かかるインサートは、一般に、３種の区分、即ち、インサートの傾斜の方向に応じて右勝手インサートと左勝手インサート、及びアプローチ角が実質的に０の中立インサートに分類される。
【０００３】
中央部の本体部分及び両側の切削端部部分の対を有する両頭形の方向を変え得るインサートを調製することが知られている。かかるインサートは、一方の作動側の切れ刃端部がいかなる特定の時にもホルダーより先に伸びるように配置され、かつ他方の作動していない方のインサートがホルダー内に保持されるように、インサートホルダーに形成された１対のクランプ用ジョーの間に着脱自在に保持されように設計される。ホルダー内のインサートの、従って作動している方の切れ刃の効果的な一定の位置決めを確保するために、一般に、ホルダーには、インサートの後方の作動していない方の端部と当たる支持面が形成され、これによりインサートは作動時には常に予定位置に確実に保持される。
【０００４】
かかる公知の両頭形インサートでは、切れ刃はインサートの上すくい面と前逃げ面との交差線に形成される。右勝手又は左勝手のインサートでは、切れ刃部分にアプローチ角が形成され、これに対応して逃げ面はインサートの長手方向正中面への垂線に関して傾けられる。このため、インサートがホルダー内に一杯に取り付けられたとき、その後端は、面対面の状態ではなくて逃げ面のエッジ部分を介してホルダーの支持面に当たる。かかるエッジと面との当りがホルダー内におけるインサートの取付けの不安定を生ずることは容易に認められるであろう。更に、インサートと支持面との効果的な面対面の当りを得るようにホルダーの支持面を逃げ面と同様に傾けて形成した場合には、右勝手のインサートと左勝手のインサートについて異なった傾きの支持面を有する異なったホルダーを設けねばならないであろう。
【０００５】
上述の欠点を実施的に減らし又は無くす新規かつ改良された両頭形インサートを提供することが本発明の目的である。
【０００６】
【課題を解決するための手段】
本発明により、中央部の本体部分及び両側の切削端部部分の対を備え、各切削端部部分が上すくい面及び前と横との逃げ面及び前記すくい面と前記前逃げ面との交差線に形成された前切れ刃を有する両頭形の突切り用又は溝削り用のインサートにして、前記前逃げ面が上方逃げ面要素、前記上方要素に関して内側に設置されかつ前記前切れ刃と交差している長手方向正中面に関して実質的に直角に配置された下方当り面要素、及び前記上方と下方の要素をつないでいる中間の面要素を備えることを特徴とするインサートが提供される。
【０００７】
好ましくは、前記切れ刃と前記上方逃げ面要素とは、前記切れ刃のアプローチ角だけ前記平面への垂線に関して傾けられる。
【０００８】
従って、本発明による両頭形の突切り用及び溝削り用のインサートは、前切れ刃とこれに組み合わせられた上方逃げ面要素とがアプローチ角が０である中立型か、或いは前切れ刃とこれに組み合わせられた上方逃げ面要素面とがそれぞれ反対符号のアプローチ角を有する右勝手又は左勝手の形式のものかのいずれとすることもなし得る。しかし、総ての場合において、切削用インサートは、その当り面要素がその面積全体においてホルダーの隣接支持面と当たっている状態で、これを適切なインサートホルダー内に確りと保持することができる。この方法で、同じインサートホルダーを、インサートの中立、右勝手又は左勝手にかかわらず効果的に使用でき、かつ同時にホルダー内におけるインサートの効果的な支持当りを確保できる。
【０００９】
【実施例】
本発明のより良き理解のため、及びこれを実際にいかに実施することができるかを例示により示すために、付属図面を参照する。
【００１０】
図面に見られるように、両頭形の突切り用及び溝削り用インサート１は、中心本体部分２、及び両側の切削端部部分３ａと３ｂとの対を備える。各切削端部部分（３ａ、３ｂ）は、すくい面４、及び前逃げ面５と横逃げ面６を備える。すくい面４と前逃げ面５との交差線に前切れ刃７が形成される。
【００１１】
図面の図３に明瞭に見られるように、各前逃げ面５は、上方の前逃げ面要素５ａ、下方の当り面要素５ｂ、及び上下の面要素５ａと５ｂとをつないでいる中間面５ｃを備える。更に図面の図３に明瞭に見られるように、下方の当り面要素は、上方逃げ面要素５ａに関して内側に設けられる。図面の図２から見られるように、各前切れ刃はインサートの長手方向正中面への垂線９に関して、インサートのアプローチ角として知られる角度αだけ傾けられる。角度αの正負に応じて、インサートは右勝手又は左勝手とすることができ、また角度αが０であるときは中立である。図面の図３に見られるように、上方逃げ面要素５ａもインサートの正中軸線への垂線に関して同じアプローチ角αだけ傾けられる。これに反し、下方当り面はインサートの長手方向正中面に関し実質的に直角に配置される。
【００１２】
図１及び図４に見られるように、インサートは、上方の弾性的に変位可能なクランプ用ジョー１６及び下方の固定クランプ用ジョー１７の上下のクランプ面１４及び１５の間に定められたインサート保持用のスロット１３を有するインサートホルダー１２内に保持されるように設計される。
【００１３】
保持用スロット１３の内側後端には、上下の湾曲した凹所１８と１９、及び中央の支持面２０が形成される。
【００１４】
図面の図４に見られるように、インサートがインサートホルダー１２内の定位置に保持されたときは、面１４と１５とはインサートの中央本体部分２の上下の面と組み合ってこれを掴み、一方インサートの当り面要素５ｂはホルダーの支持面２０に対して突き当たり支持される。この方法で、切れ刃７は、作動していない方の切れ刃３ｂがホルダー内にある状態で凹所１８内に置かれ、一方では、インサートの最も下の縁は凹所１９内に置かれる。
【００１５】
インサートのアプローチ角の正負にかかわりなくインサートは、その当り面要素５ｂがホルダーの支持面２０の表面全体に沿って当たっている状態で、ホルダー内に確りと保持される。この方法で、右勝手及び左勝手のインサートの両者を確りと保持するために同じ１種のホルダー形式を使うことができ、同時に、インサートがアプローチ角０の種類のものである場合も、これをホルダー内に同じく確実に保持するであろうことは言うまでもない。
【００１６】
本発明による上述の種類の両頭形の突切り用及び溝削り用のインサートは、適切な型の中の、例えば炭化タングステン粉末を圧縮し次いで焼結させることにより容易に作ることができ、多くの場合、これにより後続の研磨作業の必要性を無くせるが、研磨作業を利用して本発明によるインサートを作ることができる。関連して図面の図５をを参照すれば、圧縮及び焼結により作られた図面の図３に示されたようなインサートは、図５に示される破線に沿って行われる研磨で更に大きなアプローチ角を与えるように、これを続いて研磨することができる。この場合、切れ刃及び上の逃げ面要素は大きくされたアプローチ角を示し、一方、逃げ面の下方要素は２個の部分で形成され、その第１の部分は効果的な当り面要素を構成しその面上でホルダーの支持面２０と当たるように設計され、残りの部分はこれとある角度の方向に向けられる。
【００１７】
説明されたように中立、右勝手又は左勝手のものとなし得る本発明による切削用インサートは、これを総ての形式用として使用し得るインサートホルダー内に効果的かつ確実に保持でき、一方では、同時に、インサートの後方端部はかなり大きな面積上でホルダーに形成された支持面と当たることにより効果的に保持される。
【００１８】
好ましくは、切れ刃が０゜から２０゜の範囲のアプローチ角を有する突切り用及び溝削り用のインサートは、これを本発明により効果的に使用することができる。
【００１９】
本発明は両頭形の突切り用及び溝削り用のインサートを引用して例示により説明されたが、各切れ刃部分において、横切れ刃が上すくい面と関係の横逃げ面との交差により形成されるインサートにも等しく適用できる。この場合は、インサートは、これを突切り及び溝削り或いは旋削に使用することができる。
【００２０】
本発明の実施態様は次のとおりである。
【００２１】
１．中央部の本体部分及び両側の切削端部部分の対を備え、各切削端部部分が上すくい面及び前と横との逃げ面及び前記すくい面と前記前逃げ面との交差線に形成された前切れ刃を有する両頭形の突切り用又は溝削り用のインサートにして、前記前逃げ面が上方逃げ面要素、前記上方要素に関して内側に設置されかつ前記前切れ刃と交差している長手方向正中面に関して実質的に直角に配置された下方当り面要素、及び前記上方と下方の要素をつないでいる中間の面要素を備えることを特徴とするインサート。
【００２２】
２．前記切れ刃と前記上方逃げ面要素とが前記切れ刃のアプローチ角だけ前記平面への垂線に関して傾けられた実施態様１によるインサート。
【００２３】
３．旋削に使用する横切れ刃が前記すくい面と前記横逃げ面との関係の交差線に形成されることを特徴とする実施態様１又は２によるインサート。
【００２４】
４．例示により、及び付属図面を参照してこれまで説明された両頭形の突切り用又は溝削り用のインサート。
【図面の簡単な説明】
【図１】インサートホルダーに関して置かれた本発明による両頭形の突切り用インサートの図式的な斜視図である。
【図２】図１に示されたインサートの上方から見た平面図である。
【図３】図１及び２に示されたインサートの切削端部部分の図式的な斜視図（拡大図）である。
【図４】図１に示されたインサートホルダー内に適合保持された先行図面に示されたインサートの斜視図である。そして
【図５】本発明による両頭形インサートの変更された切削端部部分を示す。
【符号の説明】
１  インサート
２  中心本体部分
３ａ  切削端部部分
３ｂ  切削端部部分
４  すくい面
５ａ  上方の前逃げ面要素
５ｂ  下方の当たり面要素
【図１】
0003887788.tif 000002
【図２】
0003887788.tif 000003
【図３】
0003887788.tif 000004
【図４】
0003887788.tif 000005
【図５】
0003887788.tif 000006